(57)【要約】【課題】  カーテンランナーに掛けるカーテンフックをカーテンに取り付けるために、カーテンの裏面上縁部に縫着する一枚布の帯状織物からなるカーテンテープであって、カーテンフックの位置決めが容易なもの、特に、クリップフックの場合、高さが揃い、使用中にスリップしないものを提供する。【解決手段】  カーテンテープの織物に少なくとも１本の表面に目立って現れる太い経糸を配置する。クリップフック用カーテンテープの場合、その太い経糸は、カーテンテープの表面に長手方向に延長する突条を形成する。【選択図】        図１
2005130971.tif 000002
【特許請求の範囲】
【請求項１】
カーテンランナーに掛けるカーテンフックをカーテンに取り付けるために、カーテンの裏面上縁部に縫着する帯状一枚布の織物からなるカーテンテープにおいて、前記織物に少なくとも１本の太い経糸を配置することを特徴とするカーテンテープ。
【請求項２】
太い経糸は、カーテンテープの表面に長手方向に延長する突条を形成することを特徴とする請求項１に記載のカーテンテープ。
【請求項３】
３本以上の等間隔に並ぶ太い経糸を配置して３本以上の突条を形成することを特徴とする請求項１又は２に記載のカーテンテープ。
【請求項４】
織物に長手（経）方向に一定の間隔で現れる変化部を設けることを特徴とする請求項１ないし３のいずれか１つに記載のカーテンテープ。
【請求項５】
変化部は織組織の部分的変化であることを特徴とする請求項４に記載のカーテンテープ。
【請求項６】
変化部は長手方向幅がクリップフック本体のカーテンテープ長手方向幅と略同一であることを特徴とする請求項４又は５に記載のカーテンテープ。
【発明の詳細な説明】
【技術分野】
【０００１】
本発明は、カーテンランナーに掛けるフックをカーテンに取り付けるために、カーテンの裏面上縁部に縫着するカーテンテープに関する。
【背景技術】
【０００２】
カーテンテープは、カーテンの裏面上縁部に縫着する一枚布又は二枚布の帯状合成繊維製織物である。二枚布のカーテンテープは、本体布とポケット布からなり、カーテンフックを位置決めする融合部又は挿入穴を備えているから、カーテンフックは融合部又は挿入穴に掛けることにより、高さは方向は自ずと位置決めされ、掛ける融合部又は挿入穴を選択することにより、長手方向の位置決めも容易に行うことができる。
【０００３】
一枚布のカーテンテープは、カーテンフックを掛ける融合部も挿入穴も形成することができないため、カーテンフックを掛ける位置を決めることが難しかった。特に、カーテン上縁部を上から跨ぎ、下端の爪で挟むように取り付けるクリップフックの場合、取り付けたクリップフックの爪がスリップして高さが不揃いになり、使用中にクリップフックがカーテンテープから外れ易いという問題があった。
【特許文献１】特開２００２−２０４７４５
【発明の開示】
【発明が解決しようとする課題】
【０００４】
本発明は、上記問題を解決するためになされたものであり、その課題は、カーテンランナーに掛けるカーテンフックをカーテンに取り付けるために、カーテンの裏面上縁部に縫着する一枚布の帯状織物からなるカーテンテープであって、カーテンフックの位置決めが容易なもの、特に、クリップフックの場合、高さが揃い、使用中にスリップしないものを提供することである。
【課題を解決するための手段】
【０００５】
前記課題を解決するため、本発明が採用する手段は、カーテンランナーにかけるカーテンフックをカーテンに取り付けるために、カーテンの裏面上縁部に縫着する帯状一枚布の織物からなるカーテンテープにおいて、前記織物に少なくとも１本の太い経糸を配置することにある。太い経糸は、カーテンテープの表面に長手方向に延長する突条を形成するものであることが好ましい。
【発明の効果】
【０００６】
本発明のカーテンテープは、表面に１本以上の太い経糸が現れ長手方向に延長するから、カーテンフックをカテンテープに取り付けるとき、この太い経糸を目安にすると、カーテンフックの高さ方向の位置決めは容易になる。
【０００７】
クリップフックの場合、太い経糸によりカーテンテープの表面に長手方向に延長する突条を形成し、クリップフックの前後の爪を突条の直下においてかみ合わせてクリップフッ
クをカーテンテープに取り付けると、取り付けたクリップフックの高さは一様に揃う。各クリップフックの爪は突条に引っ掛かりスリップしないから、クリップフックがカーテンテープから外れたり位置がずれたりするおそれはない。
【発明を実施するための最良の形態】
【０００８】
本発明のカーテンテープは、少なくとも１本の太い経糸を有する一枚布の帯状合成繊維製織物であり、カーテンの裏面上縁部に縫着すると、太い経糸は表面に顕著に現れ長手方向に延長する。太い経糸は３本以上とし、その間隔を同一とすると、カーテンフック取付高さの設定範囲が大きくなる。クリップフック用カーテンテープの場合、太い経糸によりカーテンテープの表面に長手方向に延長する突条を形成する。
【０００９】
織物に長手（経）方向に一定の間隔で現れる変化部を設けると、カーテンフックをカテンテープに取り付けるとき、変化部が目安となるから、カーテンフックのカーテンテープ長手方向の位置決めも容易になる。特に、変化部の長手方向幅をクリップフック本体のカーテンテープ長手方向幅と略同一とすると、各クリップフックのカーテンテープ長手方向取付位置の設定が容易になる。変化部は織物組織の部分的変化により形成することが好ましいが、製織後の加圧加熱処理、印刷等により形成することも可能である。
【実施例】
【００１０】
本発明を図面に示すカーテンテープの実施例に基づいて説明する。図１及び図２は、実施例のカーテンテープを逢着したカーテンの裏面図及び側面図である。
【００１１】
カーテンテープ１は、一枚布の帯状合成繊維製織物であり、カーテン２の裏面上縁部に沿って縫着される。カーテンテープ１が縫着されたカーテン１の上縁部には、クリップフック３が長手方向等間隔に跨るように取り付けられる。
【００１２】
カーテンテープ１は、３本の等間隔で並ぶ太い経糸を備えるため、表面に３本の等間隔に並び長手方向に延長する突条４が現れる。織物は長手（経）方向に一定の間隔で現れる緯糸による変化部５を備え、その変化部５の長手方向幅はクリップフック本体６のカーテンテープ長手方向幅と略同一である。
【００１３】
クリップフック３は、金属板を前後に重なるように折り曲げてなる本体６と、その本体に部分回動自在に取り付けられたフック７と、同じく本体に部分回動自在に取り付けられた押さえ板８とからなる。フック７は、図外のカーテンレールに取り付けられるカーテンランナーのフック穴に掛けられる。押さえ板８を一方に回してロックすると、本体６の前後下端部の爪９がかみ合い、他方に回してロックを外すと、爪９のかみ合いが開く。
【００１４】
クリップフック３の高さ方向取付位置は、カーテンテープ２の表面に現れる３本の突条４のいずれかを選択することにより、長手方向取付位置は、同じくカーテンテープ２の表面に現れるクリップフック３の本体６と略同幅の変化部５を等間隔にクリップフック３と同数選択することによりそれぞれ決定する。選択した組織５を通る突条４の直下において、各クリップフック３の押さえ板８を操作して前後の爪９をかみ合わせ、各クリップフック３をカーテンテープ２に取り付ける。このように、各クリップフック３の高さ及び長手方向の取付位置決めは、至極容易である。
【００１５】
取り付けたクリップフック３の高さ及びカーテンテープ長手方向間隔は一様に揃い、各クリップフック３の爪９は突条４に引っ掛かりスリップしないから、クリップフック３がカーテンテープ２から外れたり位置がずれたりするおそれはない。
【００１６】
次に、図３に示す別の実施例を説明する。カーテンテープ１０は、一枚布の帯状合成繊維製織物であり、１本の太い経糸１１が表面に現れる。しかし、太い経糸１１は極細繊維からなるため、製織後の仕上げ処理により扁平な断面となり突条は形成しない。カーテンテープ１０の長手（経）方向には一定の間隔で緯糸による組織の部分的な変化部１２が現れる。
【００１７】
このカーテンテープ１０は、カーテンフックを取り付けるとき、長手方向に延長する太い経糸１１がカーテンフックの高さ方向位置決めの目安となり、長手（経）方向に一定の間隔で現れる変化部１２がカーテンフックの長手方向位置決めの目安となるから、カーテンフックの位置決めは従来よりも容易になる。
【図面の簡単な説明】
【００１８】
【図１】実施例のカーテンテープを逢着したカーテンの裏面図、
【図２】実施例のカーテンテープを逢着したカーテンの側面図、
【図３】別の実施例のカーテンテープの表面図。
【符号の説明】
【００１９】
１：カーテン
２：カーテンテープ
３：クリップフック
４：突条
５：変化部
６：本体
７：フック
８：押さえ板
９：爪
１０：カーテンテープ
１１：太い経糸
１２：変化部
【図１】
2005130971.tif 000003
【図２】
2005130971.tif 000004
【図３】
2005130971.tif 000005